(57)【要約】　　　（修正有）【課題】医師にとって、白内障手術をより容易にする白内障手術用顕微鏡検査装置、白内障手術の操準備方法および白内障手術方法を提供する。【解決手段】白内障手術用顕微鏡検査装置は、顕微鏡検査光学系とパターン発生器とを含み、前記顕微鏡検査光学系は、前記顕微鏡検査光学系の物体平面の像を形成し、前記パターン発生器は、前記像に重畳されるパターンを形成する。前記パターン発生器は、少なくとも１つの調整可能な径を有する円形パターンを形成するように構成されることを特徴とする。【選択図】　図２
2004081830.tif 000002
【特許請求の範囲】
【請求項１】
顕微鏡検査光学系（５）と、パターン発生器（６３）とを含み、
前記顕微鏡検査光学系（５）は、前記顕微鏡検査光学系（５）の物体平面（９）の像（５８）を形成し、
前記パターン発生器（６３）は、前記像（５８）に重畳されるパターン（７１、６５、７７、５４）を形成する白内障手術用顕微鏡検査装置であって、
前記パターン発生器（６３）は、少なくとも１つの調整可能な径を有する環状パターン（７１）を形成するように構成されることを特徴とする白内障手術用顕微鏡検査装置。
【請求項２】
前記パターン発生器（６３）は、前記環状パターン（７１）の少なくとも１つの径を入力するためのインターフェース（７３）を含むことを特徴とする請求項１に記載の白内障手術用顕微鏡検査装置。
【請求項３】
前記顕微鏡検査光学系（５）は、倍率が調整できる顕微鏡検査光学系であり、前記パターン発生器（６３）は、前記顕微鏡検査光学系（５）に結合され、前記環状パターン（７１）の少なくとも１つの径が、調整された倍率に応じて調整できるように備えられることを特徴とする請求項２に記載の白内障手術用顕微鏡検査装置。
【請求項４】
前記パターン発生器（６３）は、複数のサブパターン（６５）を含む基準パターンを形成し、サブパターンのそれぞれは、前記基準パターンの中心（５２）から、調整された等しい距離だけ離れていることを特徴とする請求項１〜３の一つに記載の白内障手術用顕微鏡検査装置。
【請求項５】
前記基準パターンの前記中心（５２）は、前記環状パターンの中心点に対して固定位置に配置され、特に前記中心点と一致することを特徴とする請求項４に記載の白内障手術用顕微鏡検査装置。
【請求項６】
前記パターン発生器（６３）は、前記距離を入力するためのインターフェース（６７）を含むことを特徴とする請求項４または５に記載の白内障手術用顕微鏡検査装置。
【請求項７】
前記インターフェース（６７）は、前記顕微鏡検査光学系（５）の筐体（３）に取り付けられ、ユーザーによって作動するアクチュエーター（６９）を備えることを特徴とする請求項６に記載の白内障手術用顕微鏡検査装置。
【請求項８】
前記パターン発生器（６３）は、前記パターン（７１）を前記顕微鏡検査光学系（５）の光路に投入する投射器（５７）を含むことを特徴とする請求項１〜７の一つに記載の白内障手術用顕微鏡検査装置。
【請求項９】
前記投射器（５７）は、前記パターン（７１）が、前記顕微鏡検査光学系（５）の接眼レンズ（２６）に向かって前記光路に投入されるように構成されることを特徴とする請求項８に記載の白内障手術用顕微鏡検査装置。
【請求項１０】
前記投射器（５７）は、前記パターン（７１）が、前記物体平面（９）に向かって前記光路に投入されるように構成されることを特徴とする請求項８に記載の白内障手術用顕微鏡検査装置。
【請求項１１】
少なくとも手術される眼（２９）の虹彩（４９）の内辺縁（５１）が顕微鏡像（５８）の中に見えるように前記顕微鏡像（５８）を形成し、環状パターン（７１）が、前記眼（２９）の水晶体嚢の被膜につくられる切開創の範囲を表すように、前記環状パターン（７１）を前記顕微鏡像（５８）に供給することを含む白内障手術の操作準備方法。
【請求項１２】
手術される眼（２９）の虹彩（４９）の内辺縁（５１）と縁部との少なくとも一方が顕微鏡像（５８）の中に見えるように、顕微鏡検査光学系（５）によって前記顕微鏡像（５８）を形成し、
環状パターン（７１）を前記顕微鏡像（５８）に供給し、
前記環状パターン（７１）に沿って、前記眼（２９）の水晶体嚢の被膜を切開することを含む白内障手術方法。
【請求項１３】
前記環状パターン（７１）の径は、前記水晶体嚢に挿入されるレンズの直径または半径方向の延長の０．５〜１．０倍に相当するように調整されることを特徴とする請求項１２に記載の方法。
【請求項１４】
前記顕微鏡像（５８）内に、複数のサブパターン（６５）を含む基準パターン形成し、サブパターンのそれぞれは、前記基準パターンの中心（５２）から、調整された等しい距離だけ離れていることをさらに含む請求項１２または１３に記載の方法。
【請求項１５】
前記距離を調整し、前記顕微鏡像（５８）における前記サブパターン（６５）が、虹彩（４９）の内辺縁（５１）の近く、または実質的に重ね合わせて配置されるように、前記眼に対して、前記顕微鏡検査光学系の位置を合わせることを特徴とする請求項１４に記載の方法。
【発明の詳細な説明】
【０００１】
【発明の属する技術分野】
本発明は、白内障手術用顕微鏡検査装置、白内障手術の操作準備方法および白内障手術方法に関する。
【０００２】
【従来の技術】
白内障手術では、白内障を発症した人間の眼の水晶体を、人工レンズに取り替える。これは、医師が、観察のための外科用顕微鏡を用いて行う顕微手術である。水晶体嚢の切開は、強膜または角膜から入り、虹彩を傷つけないように、虹彩の内辺縁の範囲内で行われる。この切開により、一方では、例えば超音波破砕の後、内因性水晶体が吸引除去され、他方では、人工レンズが挿入される。
【０００３】
従来、水晶体嚢切開は、医師により肉眼で、すなわち、虹彩の内辺縁の中心の周りに、ジグザグまたは略円形の経路をたどるように行われていた。
【０００４】
水晶体嚢が、挿入される人工レンズの直径に適合した直径を有する略円形に切開された場合、白内障手術が長期的に及ぼす結果として、ある種の合併症が起こりにくいことを裏付ける根拠がある。
【０００５】
【発明が解決しようとする課題】
本発明は、上記問題に鑑みてなされたものである。
【０００６】
本発明の目的は、医師にとって、白内障手術をより容易にする白内障手術用顕微鏡検査装置、白内障手術の操作準備方法および白内障手術方法を提供することにある。
【０００７】
【課題を解決するための手段】
本発明の白内障手術用顕微鏡検査装置は、顕微鏡検査光学系と、パターン発生器とを含む。前記顕微鏡検査光学系は、前記顕微鏡検査光学系の物体平面の像を形成し、前記パターン発生器は、前記像に重畳されるパターンを形成する。前記パターン発生器は、少なくとも１つの調整可能な径を有する環状パターンを形成するように構成される。
【０００８】
水晶体嚢を切開するとき、この顕微鏡検査装置を用いれば、医師は、水晶体嚢および虹彩が顕微鏡検査光学系の物体平面内にほぼ配置されるように、顕微鏡検査装置の位置を手術される眼に対して合わせることができるので、顕微鏡検査光学系を通して物体表面の像を観察できる。医師は、形成された環状パターンが、虹彩の内辺縁の範囲内に見えるように顕微鏡検査装置を調整できるため、この環状パターンに沿って水晶体嚢を切開する。したがって、環状パターンは、所望の形状を有する切開創をつくるのに役立つ。
【０００９】
本発明の一実施形態によれば、環状パターンは、向きとは関係なく１つの径を有する円形パターンでもよい。また、楕円であってもよく、楕円のような最大径と最小径を有していてもよい。さらに、多角形の部分から構成されるパターンでもよい。この点について重要なのは、医師にとって、環状パターンから受ける目に見える印象が、切開時に、切削工具を導くのに役立つことである。
【００１０】
環状パターンの径は、このパターンに対応して行われる切開の形状が、水晶体嚢に挿入されるレンズの形状に適合するように設定される。
【００１１】
切開創の径の１つ、好ましくは最大径が、挿入されるレンズの直径の約０．５〜０．６倍、０．６〜０．７倍、０．７〜０．８倍、０．８〜０．９倍または０．９〜１．０倍であることが好ましい。
【００１２】
顕微鏡検査光学系は、例えば、従来の外科用立体顕微鏡であってもよい。パターン発生器は、好ましくは、上記パターンを顕微鏡検査光学系の光路に投入する投射器を含む。その結果、医師は、物体平面の像と上記パターンとを簡単な方法で重ね合わせることができる。
【００１３】
像における環状パターンの、水晶体嚢に対する位置合わせを容易にするために、パターン発生器は、複数のサブパターンを含む基準パターンをさらに形成し、サブパターンのそれぞれは、上記基準パターンの中心から、調整された等しい距離だけ離れているのが好ましい。医師は、この距離を、像における虹彩の内辺縁の半径とほぼ一致するように設定できる。さらに、上記サブパターンが、それぞれ虹彩の内辺縁の近くに配置される、または実質的に虹彩の内辺縁と重ね合わせて配置されるように、上記眼に対して、顕微鏡検査光学系の位置を合わせることができる。
【００１４】
本発明の一実施形態によれば、基準パターンの中心は、環状パターンの中心点と一致するので、円形パターンに沿ってつくられた切開創は、虹彩に対しても中心に形成される。
【００１５】
本発明の一実施形態によれば、パターン発生器は、環状パターンの径を入力するためのインターフェースと、サブパターンの基準パターンの中心からの距離を入力するためのインターフェースとを含む。切開創の径を挿入されるレンズの直径に適合させるので、ほとんどの場合、環状パターンの少なくとも１つの径は、手術前に設定され、例えば、キーボードを介して顕微鏡検査装置に入力できる。
【００１６】
上記眼の虹彩の内径は、ほとんどの場合、あらかじめ決められるのではなく、患者への投薬のようなさまざまなパラメータによって決まる。ゆえに、サブパターンの基準パターンの中心からの距離を調整するには、医師や手術を準備する人にとって操作が簡単なインターフェースを用いるのが有利である。この距離を調整するために、上記インターフェースは、好ましくは、顕微鏡検査光学系の筐体に取り付けられたアクチュエーターを含む。
【００１７】
本発明の白内障手術の操作準備方法は、少なくとも手術される眼の虹彩の内辺縁が顕微鏡像の中に見えるように前記顕微鏡像を形成し、環状パターンが、前記眼の水晶体嚢の被膜につくられる切開創の範囲を表すように、前記環状パターンを前記顕微鏡像に供給することを含む。
【００１８】
本発明の白内障手術方法は、手術される眼の水晶体嚢の顕微鏡像を形成し、環状パターンを前記顕微鏡像に供給し、前記環状パターンに沿って、前記水晶体嚢の被膜を切開することを含む。
【００１９】
本発明の上記およびその他の特徴と利点は、添付図面と以下に述べる好ましい実施の形態の詳細な説明から、より明らかになるだろう。
【００２０】
【発明の実施の形態】
図１は、白内障手術用顕微鏡検査装置１を概略的に示す。この装置１は、顕微鏡検査光学系５を収納する筐体３を含む。顕微鏡検査光学系５は、顕微鏡検査対物レンズ７を含む。顕微鏡検査対物レンズ７は、この対物レンズ７の物体平面９から出た発散光線束１１（物体側）を、平行光線束１３（像形成側）にする。二重ズーム系１５は、対物レンズ７の光軸１７に沿ってずらすようにしたレンズ群１９、２１を含み、２つの部分光線束２３、２４を出射する。この部分光線束２３、２４は、接眼レンズ２５、２６にそれぞれ供給される。医師は、接眼レンズ２５、２６を通して、左右の両眼で物体平面９の像を観察できる。
【００２１】
白内障手術を行うには、医師は、顕微鏡検査装置１を、白内障手術を受けることになっている患者の眼２９の前に置く。まず、水晶体嚢へ入る手段として、例えば、この眼２９の強膜または角膜に、対応する切開創をつくる。次に、水晶体嚢切開の準備をする。このため、顕微鏡検査装置１は、パーソナルコンピューターなどの制御器３１を含む。制御器３１は、モーター３３を制御して、ズーム系１５のレンズ群１９、２１をずらすことにより、顕微鏡検査光学系５の倍率を変える。モーター３３を制御するために、制御器３１は、制御盤３５からの命令を受け取る。制御盤３５は、医師または水晶体嚢切開の準備をする人の足で作動するようにした押ボタン３７、３８および３９を備える。ボタン３７が押されると、制御器３１は、顕微鏡検査光学系５の倍率が増加するようにモーター３３を制御する。ボタン３８が押されると、それに従って顕微鏡検査光学系の倍率が減少する。
【００２２】
顕微鏡検査光学系５は、さらに半透明ミラー４１を含む。半透明ミラー４１は、部分光線束２３内に配置され、光線束４３を出射する。光線束４３は、アダプター光学系４５を介して、カメラチップ４７に入射し、物体平面９の像をカメラチップ４７上に形成する。カメラチップ４７が受け取った像は、制御器３１によって読み出され、スクリーン４９に表示される。その結果、スクリーン４９上に見える物体平面９の像は、観測者が接眼レンズ２５を通して見た像と同一となる。
【００２３】
水晶体嚢切開を準備する人は、ボタン３７とボタン３８を押すことにより、倍率を変更できるとともに、顕微鏡検査光学系５によって手術領域の適切な大きさの像が形成され、スクリーン４９に表示されるように、眼２９に対して、顕微鏡検査装置１の位置を合わせることができる。
【００２４】
図２は、このようにして形成された像５８の一例を概略的に示す。図２において、眼２９の虹彩４９は、内辺縁５１と中心５３とを有する。
【００２５】
顕微鏡検査光学系５は、さらに投射器５５を含む。投射器５５は、液晶表示器などの表示手段５７と、投射光学系５９と、半透明ミラー６１とを備える。半透明ミラー６１は、部分光線束２４内に配置され、接眼レンズ２６を通して見たときに、表示手段５７によって表示され、光学系５９によって投射されたパターンが、物体平面９の像と重ね合わせて見えるように、このパターンを部分光線束２４に投入する。表示手段５７が表示するパターンは、制御器のパターン発生器６３によって形成される。制御器３１は、上記パターンを、スクリーン４９に表示された像にも重ね合わせる。
【００２６】
パターン発生器６３によって形成されたパターンは、４つのサブパターン６５で構成される基準パターンを含む。図２において、サブパターン６５は、それぞれ中心５２からの距離が等しく、この中心５２の周りに形成される円の一部をなすように、円周方向に等間隔で配置される。サブパターン６５と中心５３との間の距離は調整可能であり、インターフェース６７を介して、制御器３１により読み込まれる。インターフェース６７は、筐体３に取り付けられた回転ノブ６９と、回転位置指示器７０とを含む。回転位置指示器７０の位置信号は、制御器３１によって読み出される。手術を準備する人は、回転ノブ６９を回すことにより、サブパターン６５の中心５２からの距離を、サブパターン６５が、眼２９の虹彩４９の内辺縁５１の近くに、対称的に配置されるように調整する。この調整においても、サブパターンを用いて、基準パターンの中心５２が、虹彩４９の中心５３と一致するように、眼２９に対して、顕微鏡検査光学系５の位置を合わせることができる。すなわち、顕微鏡検査光学系５を虹彩４９の中心に置くことができる。
【００２７】
パターン発生器６３は、さらに環状パターンを形成する。上記実施形態では、環状パターンは、円形パターン７１として形成され、その中心点は、中心５３と一致する。円形パターン７１の半径は、６．７ｍｍであり、手術を準備する人が、キーボード７３を使って制御器３１に入力する。この値（６．７ｍｍ）は、水晶体嚢に挿入される人工レンズの直径の０．８倍に相当し、形成された像の中の、パターン発生器６３の領域７５に数値で示される。
【００２８】
パターン発生器６３は、さらに角度変化を示す円弧パターン７７も形成する。この円弧パターン７７により、中心５３の周りの円周方向における角度位置を認識できる。
【００２９】
パターン発生器６３の動作モードは、ボタン３９を押すことにより調整できる。第１の動作モードでは、パターン発生器６３は、円形パターン７１のみを形成し、それ以上のパターンは形成しない。つまり、基準パターン６５も円弧パターン７７も形成されない。第２の動作モードでは、パターン発生器６３は、円形パターン７１と、中心５３の十字パターン５４のみを形成する。第３の動作モードでは、パターン発生器６３は、円形パターン７１と、サブパターン６５を含む基準パターンのみを形成する。第４の動作モードでは、パターン発生器６３は、円形パターン７１と、サブパターン６５を含む基準パターンと、十字パターン５４のみを形成する。第５の動作モードでは、パターン発生器６３は、上述したすべてのパターン、すなわち円形パターン７１、サブパターン６５を含む基準パターン、十字パターン５４および円弧パターン７７を形成する。第６の動作モードでは、パターン発生器６３は、第５の動作モードで示されたどのパターンも形成しない。その結果、医師は、光路に投入されたパターンのない手術領域の像を受け取る。ボタン３９を押すたびに、パターン発生器６３は、一つの動作モードから次の動作モードへ順次切り替えられる。
【００３０】
このようにして、パターン６５およびパターン７１は、その大きさが、モーター３３で調整された顕微鏡検査光学系の倍率に応じて拡大（縮小）するようにパターン発生器６３によって形成される。したがって、顕微鏡検査光学系５の倍率が変わったとしても、虹彩４９と、パターン６５およびパターン７１とのそれぞれの相対的な大きさは維持される。これに関しては、円弧パターン７７も倍率に応じた拡大（縮小）が可能であり、また拡大（縮小）せずに、調整された倍率に関係なく一定の大きさで表示することも可能である。
【００３１】
上述のように手術を準備した後、接眼レンズ２６およびスクリーン４９のそれぞれについて、図２に概略的に示した像が見られる。
【００３２】
次に、医師は、接眼レンズ２５、２６を通して見ることにより、水晶体嚢に切り口を入れ、接眼レンズ２６に示される円形パターン７１に沿って切開できる。続いて、水晶体嚢の開口部から、例えば超音波を用いて水晶体を破砕し、吸引除去した後に、人工眼内レンズを水晶体嚢に挿入する。像の中に示された円形パターン７１の助けを借りれば、医師は、挿入される人工レンズの直径に適合した切開ができるので、後に合併症が起こる確率が減少する。
【００３３】
上記実施形態では、像に重ね合わせた環状パターンとして、円形パターンを用いたが、切開に役立つパターンとして、例えば多角形パターンを用いることができる。図３は、多角形パターンの一例を概略的に示す。図３において、多角形パターンは、２つの長方形を重ね合わせて得られる八角形である。これらの長方形は、それぞれａ、ｂおよびｃ、ｄで表される辺の長さと径が異なる。
【００３４】
図４は、さらに別の環状パターンを概略的に示す。図４において、環状パターンは、２つの楕円で構成される。これらの楕円は、半径方向にわずかな距離をあけて配置される。この場合、医師は、例えば２つの楕円の間にある隙間に切り口を入れることができる。
【００３５】
パターン発生器は、全体として環状パターンを永久的に示すのではなく、個々のパターンを次々に示すこともできる。特に、パターン発生器は、環状パターンの輪郭に沿って動き、例えば５秒以内に環状パターンを走査する「光スポット」を形成できる。
【００３６】
図５は、図１を参照して説明した実施形態のさらに別の例を示す。図５に概略的に示された白内障手術用顕微鏡検査装置１は、かなりな程度まで図１の装置に似ているが、パターン発生器が、パターン７１を接眼レンズ２６に向けて投射するのではなく、逆に、このパターンの像が物体平面９に形成されるように、パターン７１を部分光線束２４に投入する点が異なっている。その結果、パターン７１は、手術される水晶体嚢を取り囲む領域に投射される。顕微鏡検査光学系を通して水晶体嚢を観察した医師は、この領域の後方散乱のため、そこに明るく光る領域（即ち、パターン７１）を認める。この場合、医師は、パターン７１を用いて、水晶体嚢に切り口を入れる向きを定めることもできる。
【００３７】
図６は、図５に示された実施形態の細部の別の例を概略的に示す。この場合、環状パターンは、顕微鏡検査装置１の接眼レンズ（図示せず）に入射する部分光線束２３、２４の一方を介して顕微鏡検査光学系５に投入されない。上記パターンは、部分光線束２３、２４とは無関係に、像形成側の光線束１３の光路に直接投入される。図６に示す顕微鏡検査装置１の投射系５５は、例えば、顕微鏡検査光学系５の物体平面９を照射する光を供給するための光ファイバー束９１を含む。光ファイバー束９１の一端部９２から出射した光は、非球面レンズ９３と追加のレンズ９４によって平行光となり、光路を曲げるミラー（ｐａｔｈ−ｆｏｌｄｉｎｇ　ｍｉｒｒｏｒ）６１に入射した後、対物レンズ７に向かって光線束１３に投入される。この平行光は対物レンズ７を通過して物体平面９に入射する。
【００３８】
光ファイバー束９１の一端部９２と非球面レンズ９３との間には、コンピューター（図示せず）で制御される液晶表示器９５が配置される。非球面レンズ９３、レンズ９４、および対物レンズ７を含む光学系は、液晶表示器９５に表示されたパターンが、光ファイバー束９１から出射する光によって、物体平面９上に結像するように設計されている。このため、液晶表示器９５に表示されたパターンの像が、物体平面９に形成される。コンピューターが、内蔵されているパターン発生器を用いて、上記実施形態に関連して説明した環状パターンを形成した場合でも、このパターンは物体平面９上に投射される。手術される眼とその水晶体嚢を物体平面に置くと、水晶体嚢の散乱構造のため、後方散乱が発生し、医師が、顕微鏡検査装置１を通して見ることができる。したがって、切開を行う際に役立つ。
【００３９】
また、液晶表示器９５を、照射光線の光路内における図６とは異なる場所に配置することもできる。例えば、レンズ９３とレンズ９４の間、またはレンズ９４とミラー６１の間に配置してもよい。
【００４０】
上記方法および顕微鏡検査光学系では、虹彩の中心で切開を行うように、虹彩４９の内辺縁５１の中心５３と、サブパターン６５を有する基準パターンの中心５２は、それぞれ円形パターン７１の中心点と一致していた。しかし、円形パターン７１の中心点を、サブパターン６５の中心５２および虹彩４９の内辺縁５１の中心のやや外側に、それぞれ配置することもできる。
【００４１】
上記実施形態では、環状パターン７１を連続線で表したが、破線や点線などの断続線を用いることもできる。
【００４２】
上記実施形態では、基準パターンを４つのサブパターン６５のみで示したが、基準パターンの中心点からの距離が互いに等しい、より多くのサブパターンを用いることもできる。特に、基準パターンを円形の連続線で表すことが可能である。
【００４３】
上記実施形態では、サブパターン６５を含む基準パターンの径を、キーボード７３を介して調整したが、上述した環状パターン７１の径の調整と同じように、顕微鏡検査光学系の筐体３に設けられたアクチュエーターによって、基準パターンの径を調整することもできる。一方、キーボード７３を用いて、環状パターン７１を入力することも可能である。
【００４４】
上述のように、基準パターンの中心位置とその径、および／または環状パターンの中心位置とその径を、それぞれ手動で調整する方法以外に、画像処理により虹彩の内辺縁を認識し、自動的に調整を行う自動方式を用いることもできる。
【００４５】
上記実施形態では、半透明ミラー４１は、部分光線束２３内に配置され、光線束４３を出射し、カメラチップ４７を介して物体平面９の像を形成したのに対して、半透明ミラー６１は、部分光線束２４内に配置され、表示手段５７によって表示されたパターンを、顕微鏡検査光学系５の光路に投入した。しかし、半透明ミラー４１、６１をともに、部分光線束２３または２４の一方のみに配置することもできる。
【００４６】
また、特に観察者に対して、環状パターンが物体平面の中、またはやや上方あるいは下方に見える立体顕微鏡の印象を与えるように、環状パターンを部分光線束２３、２４の両方に投入できる。
【００４７】
上記実施形態では、医師は、顕微鏡検査光学系５の２つの接眼レンズ２５、２６を通して見ながら手術を行うが、スクリーン４９に表示された手術領域（物体平面９）を観察しながら行うこともできる。
【００４８】
制御器３１は、スクリーン４９に送られる像を、「頭部搭載型表示器（ｈｅａｄ　ｍｏｕｎｔｅｄ　ｄｉｓｐｌａｙ）」と呼ばれる、医師の頭部に固定された表示手段にも供給できる。この場合、医師は、頭部の位置に対する顕微鏡検査光学系の配置に拘束されることなく、手術領域の像とパターン発生器６３によって形成されたパターンとを、人間工学的な方法で受け取る。
【００４９】
なお、本発明は、最も実用的かつ好ましいと考えられる実施形態について説明したが、本発明の範囲内において、他の実施形態を含み得る。ゆえに、本発明の範囲は、この明細書の開示内容に限定されるのではなく、あらゆる同等な方法および装置を包含するように、全ての請求の範囲と一致するものである。
【図面の簡単な説明】
【図１】本発明の白内障手術用顕微鏡検査装置の一実施形態を示す概略図である。
【図２】図１の顕微鏡検査装置により形成された像を示す図である。
【図３】図２に示された環状パターンの別の例を示す図である。
【図４】図２に示された環状パターンのさらに別の例を示す図である。
【図５】図１に示された実施形態の別の例を示す図である。
【図６】図５に示された実施形態の細部の別の例を示す図である。
【符号の説明】
１　　白内障手術用顕微鏡検査装置
３　　筐体
５　　顕微鏡検査光学系
７　　対物レンズ
９　　物体平面
１１　発散光線束
１３　平行光線束
１５　二重ズーム系
１７　光軸
１９、２１　レンズ群
２３、２４　部分光線束
２５、２６　接眼レンズ
２９　眼
３１　制御器
３３　モーター
３５　制御盤
３７、３８、３９　押ボタン
４１　半透明ミラー
４３　光線束
４５　アダプター光学系
４７　カメラチップ
４９　スクリーン
５１　内辺縁
５２、５３　中心
５４　十字パターン
５５　投射器
５７　表示手段
５８　像
５９　投射光学系
６１　半透明ミラー
６３　パターン発生器
６５　サブパターン
６７　インターフェース
６９　回転ノブ
７０　回転位置指示器
７１　環状パターン
７３　キーボード
７５　領域
７７　角度変化を示す円弧パターン
９１　光ファイバー束
９２　一端部
９３　非球面レンズ
９４　レンズ
９５　液晶表示器
【図１】
2004081830.tif 000003
【図２】
2004081830.tif 000004
【図３】
2004081830.tif 000005
【図４】
2004081830.tif 000006
【図５】
2004081830.tif 000007
【図６】
2004081830.tif 000008